(57)【要約】【課題】掃除機本体を小型化し、吸引力の高い電気掃除機を提供することを目的とする。【解決手段】集塵ケース２の吸気口１２と、掃除機本体１に備えたパッキン１０とを直接当接させるとともに、そのエアータイト面を床面に対し傾斜させたものであり、集塵ケース２を掃除機本体１に置くだけで重力の作用により簡単にエアータイトができるため、別に連通口を必要とすることなく、掃除機本体の小型化をはかり吸引力を向上させることができる。【選択図】  図３
2004290338.tif 000002
【特許請求の範囲】
【請求項１】
吸引風を発する電動送風機を内蔵する掃除機本体と、前記電動送風機の吸気上流側で掃除機本体に着脱自在に設けた集塵ケースとを備え、前記集塵ケースは、塵埃を収納する集塵収納室と、集塵収納室と掃除機本体とを直接連通させる吸気口とを有し、前記吸気口と掃除機本体とのエアータイト面を床面に対し傾斜させた電気掃除機。
【請求項２】
吸気口の外郭上部をエアータイト面の方向に押圧した請求項１に記載の電気掃除機。
【請求項３】
掃除機本体に軸支され開閉可能で集塵ケースを覆うフタ体を有し、このフタ体に、フタ体を閉じた際に吸気口の外郭上部を押圧する押し付け部を設けた請求項２に記載の電気掃除機。
【請求項４】
フタ体の軸を吸気口の近傍に設けた請求項３に記載の電気掃除機。
【請求項５】
押し付け部を吸気口の外郭と略同一形状に形成し、押し付け部で吸気口の外郭の左右面および上面を覆うようにした請求項３または４に記載の電気掃除機。
【請求項６】
押し付け部に、吸気口の外郭の左右面を誘導する傾斜部を設けた請求項３〜５のいずれか１項に記載の電気掃除機。
【請求項７】
吸気口のエアータイト面全周を、糸状のリブで形成した請求項１〜６のいずれか１項に記載の電気掃除機。
【発明の詳細な説明】
【０００１】
【発明の属する技術分野】
本発明は、一般家庭で使用され、着脱可能な集塵ケースを有する電気掃除機に関するものである。
【０００２】
【従来の技術】
従来、この種の集塵ケースを有する電気掃除機は、床面より垂直上向きに配設された電動送風機を内蔵しており、この電動送風機と集塵ケースとは、掃除機本体に軸支され開閉可能で集塵ケースを覆うフタ体の連通口を通して連通されていた（例えば、特許文献１参照）。そして、集塵ケースとフタ体とは、掃除機本体に設けられたパッキンにより、床面と略水平にエアータイトされているものである。
【０００３】
【特許文献１】
特開２００２−５２８号公報
【０００４】
【発明が解決しようとする課題】
しかしながら、このような従来の電気掃除機にあっては、フタ体に、集塵ケースと電動送風機を連通する連通口が必要であるため、掃除機本体が大きくなる課題があった。また、集塵ケースはパッキンにより、床面と略水平にエアータイトされているが、簡単かつ確実なものとは言い難いものであった。
【０００５】
本発明は、上記従来の課題を解決するもので、集塵ケースのエアータイトを簡単かつ確実に行い、掃除機本体を小型化し、吸引力の高い電気掃除機を提供することを目的とする。
【０００６】
【課題を解決するための手段】
上記目的を達成するために、本発明の電気掃除機は、電動送風機を内蔵する掃除機本体と、集塵ケースの吸気口とを直接連通させるとともに、吸気口と掃除機本体とのエアータイト面を床面に対し傾斜させたものである。
【０００７】
これにより、集塵ケースを掃除機本体にセットするだけで重力の作用により簡単にエアータイトができるため、別に連通口を必要とすることなく、掃除機本体の小型化をはかり吸引力を向上させることができる。
【０００８】
【発明の実施の形態】
請求項１に記載の発明は、吸引風を発する電動送風機を内蔵する掃除機本体と、前記電動送風機の吸気上流側で掃除機本体に着脱自在に設けた集塵ケースとを備え、前記集塵ケースは、塵埃を収納する集塵収納室と、集塵収納室と掃除機本体とを直接連通させる吸気口とを有し、前記吸気口と掃除機本体とのエアータイト面を床面に対し傾斜させた電気掃除機とすることにより、集塵ケースを掃除機本体にセットするだけで重力の作用により簡単にエアータイトができるため、別に連通口を必要とすることなく、掃除機本体の小型化をはかり吸引力を向上させることができる。
【０００９】
請求項２に記載の発明は、吸気口の外郭上部をエアータイト面の方向に押圧した請求項１に記載の電気掃除機とすることにより、より確実にエアータイトができる。
【００１０】
請求項３に記載の発明は、掃除機本体に軸支され開閉可能で集塵ケースを覆うフタ体を有し、このフタ体に、フタ体を閉じた際に吸気口の外郭上部を押圧する押し付け部を設けた請求項２に記載の電気掃除機とすることにより、フタ体を閉操作すると同時に、確実に集塵ケースと掃除機本体とをエアータイトすることができる。
【００１１】
請求項４に記載の発明は、フタ体の軸を吸気口の近傍に設けた請求項３に記載の電気掃除機とすることにより、押し付け部がフタ体の軸に近いため、フタ体先端に軽い力を加えても、押し付け部では先端よりも大きな押圧が加わり、確実に集塵ケースと掃除機本体とをエアータイトすることができる。
【００１２】
請求項５に記載の発明は、押し付け部を吸気口の外郭と略同一形状に形成し、押し付け部で吸気口の外郭の左右面および上面を覆うようにした請求項３または４に記載の電気掃除機とすることにより、押し付け部により吸気口の周囲を固定することができ、より確実にエアータイトすることができる。
【００１３】
請求項６に記載の発明は、押し付け部に、吸気口の外郭の左右面を誘導する傾斜部を設けた請求項３〜５のいずれか１項に記載の電気掃除機とすることにより、集塵ケースを適当な位置にセットしても、吸気口が押し付け部の傾斜部により誘導されて、正規の位置に移動し押圧されるため、簡単でより確実にエアータイトすることができる。
【００１４】
請求項７に記載の発明は、吸気口のエアータイト面全周を、糸状のリブで形成した請求項１〜６のいずれか１項に記載の電気掃除機とすることにより、面によるエアータイトと比較して、リブが押圧により相手パッキンに食い込み易く、より確実にエアータイトすることができる。
【００１５】
【実施例】
以下、本発明の実施例について、図を参照して説明する。
【００１６】
（実施例１）
図１〜図３は本発明の実施例１における電気掃除機を示すものである。
【００１７】
図１に示すように、掃除機本体１には、吸引風を発する電動送風機１９（図３）を内蔵している。塵埃を捕集する集塵ケース２は、透明材料にて形成され、電動送風機１９の吸気上流側で掃除機本体１に着脱自在に設けている。また、集塵ケース２には、掃除機本体１の流入口１６、フタ体１３、手元ハンドル３、ホース継ぎ手４付きのホース５、および延長管６を介して、塵埃を吸引する吸込具７が連結されている。掃除機本体１は、底面に枢支された１個の前輪キャスター８と、後部両側面に回転自在に取り付けた一対の後輪９と、後方下内部に設けた電動送風機１９への電源を供給する２次電池（図示せず）を備えている。また、図３に示すように、掃除機本体１の集塵ケース２との当接面に、床面に対して傾斜（好ましくは略４５度）してパッキン１０を配設している。
【００１８】
また、前記集塵ケース２は、略円筒形状の遠心分離室１１と、遠心分離室１１と電動送風機１９とが連通した位置に設けた、床面に対して傾斜（好ましくは略４５度）した吸気口１２と、遠心分離室１１から吸気口１２に至る途中に設けたフィルター１７とを備えている。前記吸気口１２は、集塵ケース２の掃除機本体１へのセット時にパッキン１０と当接してエアータイト面を形成するものであり、結果として、このエアータイト面は床面に対し傾斜したものとなっている。
【００１９】
さらに、前記フタ体１３は、その後方部が掃除機本体１に対して、吸気口１２近傍に軸支され、閉操作時には集塵ケース２を覆うものである。フタ体１３は掃除機本体１に対して尾錠係止部２０で開閉可能に装備されている。このフタ体１３には、吸気口１２の外郭上部との対応位置に、閉操作時に吸気口１２の外郭上部をエアータイト面の方向に押圧する押し付け部１４を備えている。この押し付け部１４は、フタ体１３に備えることが取扱い上、好ましいが、必ずしもこれに限られるものではなく、例えば、吸気口１２の外郭に突部を設けてこれをフタ体１３の閉操作時に押さえ、吸気口１２の外郭上部をエアータイト面の方向に押圧するようにしてもよい。
【００２０】
上記構成による動作・作用は以下の通りである。
【００２１】
電動送風機１９の駆動により、吸込具７、延長管６、手元ハンドル３、ホース５を通して、掃除機本体１の流入口１６より侵入した塵埃を含んだ吸引風は、集塵ケース２に導かれ、略円筒形状の遠心分離室１１の内壁に沿って旋回し、遠心分離作用により吸引風と塵埃が分離される。分離された吸引風は、フィルター１７および吸気口１２、パッキン１０を通り電動送風機１９に吸引され、掃除機本体１外部へと排出される。
【００２２】
集塵ケース２の掃除機本体１へのセット時には、吸気口１２が直接、掃除機本体１に設けられたパッキン１０と当接し、そのエアータイト面が床面に対し略４５度となり、集塵ケース２を掃除機本体１にセットするだけで重力の作用により簡単にエアータイトされる。このため、従来のように別に連通口を必要とすることなく、掃除機本体の小型化をはかり吸引力を向上させることができる。
【００２３】
さらに、集塵ケース２を掃除機本体１にセット後、フタ体１３の閉操作を行うと同時に、押し付け部１４が吸気口１２の外郭上部を押圧することにより、確実に集塵ケース２と掃除機本体１とをエアータイトすることができる。また、フタ体１３は、軸を吸気口１２近傍に設けており、押し付け部１４が軸に近いため、フタ体１３先端である尾錠係止部２０近傍で軽い力を加えても、押し付け部１４では先端よりも大きな押圧が加わり、より確実に集塵ケース２と掃除機本体１とをエアータイトすることができるものである。
【００２４】
（実施例２）
次に、図４〜図６に基づき、本発明の実施例２における電気掃除機について説明する。電気掃除機としての基本構成は実施例１と同一であり、同一要素については同一符号を付して説明を省略する。
【００２５】
本実施例では、図４に示すように、押し付け部１４は、吸気口１２の外郭と略同一形状で、吸気口１２外郭の左右面および上面を覆うように形成されている。これにより、押し付け部１４により吸気口１２の周囲を固定することができ、より確実に集塵ケース２と掃除機本体１とをエアータイトすることができるようにしている。
【００２６】
また、本実施例では、図５に示すように、吸気口１２のエアータイト面全周は、幅１ｍｍ高さ１ｍｍ程度の糸状のリブ１５で形成されており、パッキン１０と当接している。これにより、面によるエアータイトと比較して、リブ１５が押圧により相手パッキン１０に食い込み易く、より確実に集塵ケース２と掃除機本体１とをエアータイトすることができるようにしている。
【００２７】
なお、図６に示すように、押し付け部１４に、吸気口１２の外郭の左右面を誘導する傾斜部１８を設ければ、集塵ケース２を適当な位置にセットしても、吸気口１２が押し付け部１４の傾斜部１８により誘導されて、正規の位置に移動し押圧されるため、簡単でより確実にエアータイトすることができるものである。
【００２８】
【発明の効果】
以上のように、本発明の電気掃除機によれば、電動送風機を内蔵する掃除機本体と、集塵ケースの吸気口とを直接連通させるとともに、吸気口と掃除機本体とのエアータイト面を床面に対し傾斜させたものであり、集塵ケースを掃除機本体にセットするだけで重力の作用により簡単にエアータイトができるため、別に連通口を必要とすることなく、掃除機本体の小型化をはかり吸引力を向上させることができる。
【図面の簡単な説明】
【図１】本発明の実施例１における電気掃除機の外観図
【図２】同電気掃除機のフタ体を開いた状態の外観図
【図３】同電気掃除機のエアータイト面の部分断面図
【図４】本発明の実施例２における電気掃除機の吸気口部分の正面図
【図５】同電気掃除機の吸気口部分を示す斜視図
【図６】同電気掃除機の吸気口部分の他例を示す正面図
【符号の説明】
１  掃除機本体
２  集塵ケース
１０  パッキン
１１  遠心分離室
１２  吸気口
１３  フタ体
１４  押し付け部
１５  糸状のリブ
１８  傾斜部
１９  電動送風機
【図１】
2004290338.tif 000003
【図２】
2004290338.tif 000004
【図３】
2004290338.tif 000005
【図４】
2004290338.tif 000006
【図５】
2004290338.tif 000007
【図６】
2004290338.tif 000008